(57)【要約】【課題】  無線基地局のチャネル使用状況のみならず、各移動端末の位置に基づいた種々のトラヒック情報を確実に配信することのできるトラヒック情報提供システムを提供することを目的とする。【解決手段】  自端末の位置情報を取得する位置情報取得部を設けた移動端末１−ｋ（ｋ＝１〜ｎ）と、移動端末１−ｋと無線信号を送受信する無線基地局３−ｋと、無線基地局３−ｋと移動端末１−ｋの通信を制御する基地局制御装置５−ｋと、基地局制御装置５−ｋと無線基地局３−ｋのトラヒック情報を記憶し、移動端末１−ｋの位置情報取得部で取得された自端末の位置情報に基づき、トラヒック情報のうち自端末の位置する通信エリア及びその周辺の通信エリアのトラヒック情報を移動端末１−ｋに配信するトラヒック情報サーバとを備える。【選択図】        図１
2009055297.tif 000002
【特許請求の範囲】
【請求項１】
自端末の位置情報を取得する位置情報取得部を設けた移動端末と、
この移動端末と無線信号を送受信する無線基地局と、
この無線基地局と前記移動端末の通信を制御する基地局制御装置と、
この基地局制御装置と前記無線基地局のトラヒック情報を記憶し、前記移動端末の前記位置情報取得部で取得された自端末の位置情報に基づき、前記トラヒック情報のうち自端末の位置する通信エリア及びその周辺の通信エリアのトラヒック情報を前記移動端末に配信するトラヒック情報サーバとを備えたトラヒック情報提供システム。
【請求項２】
トラヒック情報サーバは、無線基地局と基地局制御装置のトラヒック情報に基づき、トラヒック量を予測し、前記予測したトラヒック量をトラヒック予測情報として移動端末に配信することを特徴とする請求項１に記載のトラヒック情報提供システム。
【請求項３】
トラヒック情報サーバは、予測したトラヒック量に応じて少なくとも一つの無線基地局を選択し、前記無線基地局の位置情報をトラヒック予測情報として更に移動端末に配信することを特徴とする請求項２に記載のトラヒック情報提供システム。
【請求項４】
トラヒック情報は、通信方式の異なる複数のトラヒック情報サーバから配信されることを特徴とする請求項１乃至請求項３のいずれかに記載のトラヒック情報提供システム。
【請求項５】
移動端末は、地図情報を記憶する地図データベースと、前記地図情報を表示する表示画面とを更に備え、位置情報取得部で取得された自端末の位置情報に基づき、自端末の位置する通信エリア及びその周辺の通信エリアの地図情報を前記表示部に表示し、前記表示部に表示される前記地図情報の表示画面上にトラヒック情報サーバから配信されるトラヒック情報及びトラヒック予測情報を表示することを特徴とする請求項１乃至請求項４のいずれかに記載のトラヒック情報提供システム。
【発明の詳細な説明】
【技術分野】
【０００１】
本発明は、移動体通信システムにおける移動端末に対するトラヒック情報提供システムに関するものである。
【背景技術】
【０００２】
従来の移動体通信システムでは、移動端末の電源投入時、位置登録時、及び位置登録後の発信／着信待受け時、移動端末は無線交換局から送出されるチャネル使用状況の情報を受信し、当該情報を移動端末の表示部に表示させることにより、移動端末を使用しているユーザが基地局の使用状況を認知して、混雑の少ない基地局を選択することができる（例えば、特許文献１参照）。
【０００３】
【特許文献１】特開２０００−２２４６５７号公報（００１３〜００１６段、図１）
【発明の開示】
【発明が解決しようとする課題】
【０００４】
しかしながら、従来の移動体通信システムでは、移動端末の電源投入時、位置登録時、及び位置登録後の発信／着信待受け時において、無線基地局のチャネル使用状況のみを移動端末に報知していたため、当該移動端末では移動端末自身の位置情報、及び基地局の位置情報を有していないことから、各基地局との位置関係を把握できず、ユーザ自身がどの方向に移動すれば、通信条件の良い基地局と接続できるか把握することができないという問題があった。
【０００５】
また、移動端末は、基地局から割り当てられた個別チャネルでの通信中に、報知チャネルによる報知情報を受信することができないか、また受信できた場合でも、報知チャネルの伝送容量が僅かであるため、通信中に基地局のチャネル使用状況を把握することができず、ユーザが基地局間の移動する場合に、スループットの低下や通信断を招く恐れがあるという問題があった。
【０００６】
更に、移動端末を使用するユーザは、当該移動体通信システムの無線基地局や基地局制御装置の障害情報、保守による運用停止予定などについて知るには、ユーザ自身が移動体通信事業者に電話で問い合わせるか、または、当該移動体通信事業者がインターネット上で提供する保守情報を閲覧する必要があるという問題があった。
【０００７】
本発明は、上記のような問題を解消するためになされたものであり、無線基地局のチャネル使用状況のみならず、各移動端末の位置に基づいた種々のトラヒック情報を確実に配信することのできるトラヒック情報提供システムを提供することを目的とする。
【課題を解決するための手段】
【０００８】
本発明に係るトラヒック情報提供システムは、自端末の位置情報を取得する位置情報取得部を設けた移動端末と、移動端末と無線信号を送受信する無線基地局と、無線基地局と移動端末の通信を制御する基地局制御装置と、基地局制御装置と無線基地局のトラヒック情報を記憶し、移動端末の位置情報取得部で取得された自端末の位置情報に基づき、トラヒック情報のうち自端末の位置する通信エリア及びその周辺の通信エリアのトラヒック情報を移動端末に配信するトラヒック情報サーバとを備えたものである。
【発明の効果】
【０００９】
本発明によれば、本トラヒック情報提供システムは、トラヒック情報サーバにより、位置情報取得部を設けた移動端末からの位置情報に基づいて、当該移動端末の位置する通信エリア及びその周辺の通信エリアの無線基地局と基地局制御装置のトラヒック情報を種々配信することにより、移動端末のユーザは、移動端末が存在する通信エリア及びその周辺エリアのトラヒック状況を確実に把握できる。
【００１０】
また、当該移動端末にて通信中のアプリケーションを継続利用するために必要な品質・スループットを確保できるよう、周辺のエリアへ移動することができ、ユーザにおける利便性の向上と空きチャネルの使用による周波数の有効利用を図ることができる。
【発明を実施するための最良の形態】
【００１１】
以下、本発明に係るトラヒック情報提供システムの各種実施の形態について、図面に基づいて説明する。
実施の形態１．
図１は、本実施の形態１におけるトラヒック情報提供システム１０１ａの全体構成を示すブロック図である。
【００１２】
図１において、トラヒック情報提供システム１０１ａは、複数の移動端末１−ｋ（ｋ＝１〜ｎ）、移動端末１−ｋと無線通信を行う無線基地局３−ｋ、無線基地局３−ｋを制御する基地局制御装置５−ｋ、トラヒック情報配信サーバ８ａ、ＡＡＡ（Ａｕｔｈｅｎｔｉｃａｔｉｏｎ：認証、Ａｕｔｈｏｒｉｚａｔｉｏｎ：認可、Ａｃｃｏｕｎｔｉｎｇ：アカウンティング）サーバ９ａ、呼制御サーバ１０ａ、及び基地局制御装置５−ｋとトラヒック情報配信サーバ８ａ、ＡＡＡサーバ９ａ、呼制御サーバ１０ａを接続するコアネットワーク７から構成される。
【００１３】
移動端末１−ｋは電源投入後、無線基地局３−ｋ、基地局制御装置５−ｋ、コアネットワーク７を介してＡＡＡサーバ９ａと接続し、移動端末１−ｋの認証とトラヒック情報提供システム１０１ａへの登録を行い、登録が完了した移動端末１−ｋは、トラヒック情報提供システム１０１ａでのサービスを利用することができる。
【００１４】
移動端末１−ｋにて通信サービスを利用する場合、呼制御サーバ１０ａに登録されているユーザ毎のＳＬＡ（Ｓｅｒｖｉｃｅ  Ｌｅｖｅｌ  Ａｇｒｅｅｍｅｎｔ：サービス品質保証内容）のパラメータに基づき、基地局制御装置５−ｋが無線基地局３−ｋにおける無線チャネル割当の制御を行う。
【００１５】
図２は、無線基地局３−ｋの構成を示すブロック図である。無線基地局３−ｋは、設置時や電源起動時に、位置情報取得部２１−ｋにより、無線基地局３−ｋの位置情報（緯度・経度）を測定し、その結果を情報処理部２２−ｋにて加工し、通信処理部２３−ｋ、及び有線通信部２５−ｋを通して、トラヒック情報配信サーバ８ａに当該位置情報を通知し、無線基地局３−ｋの位置登録を行う。位置情報取得部２１−ｋとしては、例えばＧＰＳ（Ｇｌｏｂａｌ  Ｐｏｓｉｔｉｏｎｉｎｇ  Ｓｙｓｔｅｍ）受信機等が利用される。
【００１６】
無線基地局３−ｋは、無線基地局３−ｋ内の通信処理部２３−ｋにてスループット、チャネル使用率、接続ユーザ数、回線品質などの情報を定期的に情報処理部２２−ｋに通知し、情報処理部２２−ｋにて加工した後、トラヒック情報配信サーバ８ａに通知する。
【００１７】
図３は、基地局制御装置５−ｋの構成を示すブロック図である。基地局制御装置５−ｋでは、基地局制御装置５−ｋにて取得可能なトラヒック情報（スループット、チャネル使用率、接続ユーザ数などの情報）をルーティング制御部３２−ｋ、及びコネクション制御部３４−ｋで処理された情報を元にトラヒック統計情報処理３６−ｋにて情報を加工し、定期的にトラヒック情報配信サーバ８ａに通知する。
【００１８】
図４は、トラヒック情報配信サーバ８ａの構成を示すブロック図である。トラヒック情報配信サーバ８ａでは、各無線基地局３−ｋ、及び基地局制御装置５−ｋから受信したトラヒック情報をトラヒック統計情報保持部４２に保存した後、トラヒック配信情報生成部４３とトラヒック予測情報生成部４４に通知する。
【００１９】
トラヒック予測情報生成部４４では、受信したトラヒック情報とそれまでに蓄積したトラヒック情報の統計データをもとに、各基地局における今後のトラヒック量の予測情報をトラヒック配信情報生成部４３に通知する。
【００２０】
トラヒック配信情報生成部４３では、トラヒック統計情報保持部４２から通知されたトラヒック情報をもとに、基地局毎に移動先として好ましい周辺基地局を選択して基地局制御装置５−ｋ及び無線基地局３−ｋ経由で移動端末１−ｋに通知する。
【００２１】
更に、トラヒック配信情報生成部４３では、基地局毎に自局、及び周辺基地局のチャネル使用率、伝送速度、接続ユーザ数等の配信情報を作成し、基地局制御装置５−ｋ及び無線基地局３−ｋ経由で移動端末１−ｋに通知する。
【００２２】
また、基地局位置情報管理部４５に保持している基地局の位置情報、及びトラヒック予測情報生成部４４から通知されるトラヒック予測情報、メンテナンス情報管理部４６から通知されるメンテナンス情報、及び通信エリア情報管理部４７から通知される通信エリア情報もトラヒック配信情報として、各基地局経由で移動端末１−ｋに配信する。
【００２３】
上記トラヒック配信情報は、トラヒック情報配信サーバ８ａから報知チャネル、放送用チャネル、又は個別通信チャネルを通して移動端末１−ｋに配信される。
【００２４】
図５は、移動端末１−ｋの構成を示すブロック図である。移動端末１−ｋでは、電源投入後、位置情報取得部１１−ｋによって定期的に移動端末１−ｋの位置情報（緯度・経度）を取得し、取得結果を情報処理部１３−ｋに通知し、情報処理部１３−ｋで取得した位置情報と地図データベース１２−ｋの情報を組合せ表示部１６−ｋに表示する。位置情報取得部１１−ｋとしては、例えばＧＰＳ受信機等が利用される。
【００２５】
更に、移動端末１−ｋは、無線基地局３−ｋからの送出される報知情報と合わせて、トラヒック情報配信サーバ８ａから送出されたトラヒック情報を受信し、位置情報、及び地図情報と組合せて表示部１６−ｋに表示する。
【００２６】
次に、図６のシーケンス図に従い、本実施の形態１におけるトラヒック情報提供システム１０１ａの動作について説明する。まず、無線基地局３−ｋは、設置時や電源起動時に、無線基地局３−ｋの位置情報（緯度・経度）をトラヒック情報配信サーバ８ａ通知し、無線基地局３−ｋの位置登録を行う（Ｓ６０１）。
【００２７】
移動端末１−ｋは、電源を投入すると、無線基地局３−ｋ、基地局制御装置５−ｋ、コアネットワーク７を介してＡＡＡサーバ９ａと接続し、移動端末１−ｋの機器認証、ユーザ認証とトラヒック情報提供システム１０１ａへの登録を要求する（Ｓ６０２）。
【００２８】
ＡＡＡサーバ９ａは、移動端末１−ｋから登録を要求されると、移動端末１−ｋに応答する（Ｓ６０３）とともに、呼制御サーバ１０ａ及びトラヒック情報配信サーバ８ａへ登録を行う（Ｓ６０４、Ｓ６０５）。
【００２９】
無線基地局３−ｋは登録後、無線回線側及び有線回線側のトラヒック情報としてスループット、チャネル使用率、接続ユーザ数、回線品質などの情報をトラヒック情報配信サーバ８ａに通知し（Ｓ６０６）、基地局制御装置５−ｋは、無線基地局側及びコアネットワーク側のトラヒック情報としてスループット、チャネル使用率、接続ユーザ数などの情報をトラヒック情報配信サーバ８ａに通知する（Ｓ６０７）。
【００３０】
トラヒック情報配信サーバ８ａは、無線基地局３−ｋ、及び基地局制御装置５−ｋから受信したトラヒック情報を保存した後、受信したトラヒック情報とそれまでに蓄積したトラヒック情報の統計データをもとに、各基地局における今後のトラヒック量の予測情報を生成する。
【００３１】
トラヒック情報配信サーバ８ａは、このトラヒック量の予測情報をもとに、基地局毎に移動先として好ましい周辺基地局を選択し、基地局制御装置５−ｋ及び無線基地局３−ｋ経由で移動端末１−ｋにトラヒック予測情報としてトラヒック情報とともに通知する（Ｓ６０８）。
【００３２】
更に、トラヒック情報配信サーバ８ａは、基地局毎に自局、及び周辺基地局のチャネル使用率、伝送速度、接続ユーザ数等の配信情報を作成し、基地局制御装置５−ｋ及び無線基地局３−ｋ経由で移動端末１−ｋに通知する（Ｓ６０８）。
【００３３】
また、トラヒック情報配信サーバ８ａは、基地局の位置情報、及びトラヒック予測情報、メンテナンス情報、及び通信エリア情報もトラヒック配信情報として、基地局制御装置５−ｋ及び無線基地局３−ｋ経由で移動端末１−ｋに配信する（Ｓ６０８）。
【００３４】
移動端末１−ｋは、定期的に取得する移動端末１−ｋの位置情報（緯度・経度）と地図データベース１２の情報を組合せ表示部１６に表示するとともに、無線基地局３−ｋからの送出される報知情報と合わせて、トラヒック情報配信サーバ８ａから受信したトラヒック情報を表示する。
【００３５】
移動端末１−ｋを使用するユーザは、表示部１６に表示された情報に基づいて通信条件の良い通信エリアに移動し、高品質・高スループットで通信サービスを利用できる。
【００３６】
なお、移動端末１−ｋが、電源投入後、既に登録された待ち受け状態にある場合に、データ通信を開始する場合には、図７のシーケンス図に示すように、上記のＳ６０６乃至Ｓ６０８と同様の動作がＳ７０１乃至Ｓ７０３で繰り返される。
【００３７】
以上のように、本実施の形態１では、トラヒック情報サーバ８ａにより、位置情報取得部１１−ｋを設けた移動端末１−ｋからの位置情報に基づいて、移動端末１−ｋの位置する通信エリア及びその周辺の通信エリアの無線基地局３−ｋと基地局制御装置５−ｋの種々のトラヒック情報及びトラヒック予測情報を配信するようにしたので、移動端末が存在する通信エリア及びその周辺エリアのトラヒック情報及びトラヒック予測情報を地図情報とともに移動端末の表示画面に表示でき、移動端末のユーザはトラヒック状況を確実に把握できる。
【００３８】
また、当該移動端末にて通信中のアプリケーションを継続利用するために必要な品質・スループットを確保できるよう、周辺のエリアへ移動することができ、ユーザにおける利便性の向上と空きチャネルの使用による周波数の有効利用を図ることができる。
【００３９】
実施の形態２．
実施の形態１のトラヒック情報提供システム１０１ａにおいては、移動端末１−ｋが一つの通信方式からなるトラヒック情報提供システムに接続する場合について示した。実施の形態２では、二つの通信方式からなるトラヒック情報提供システムに接続する場合について示す。
【００４０】
図８は、本実施の形態２におけるトラヒック情報提供システム１０２の全体構成を示すブロック図である。実施の形態２は、実施の形態１のトラヒック情報提供システム１０１ａと、トラヒック情報提供システム１０１ａとは通信方式の異なるトラヒック情報提供システム１０１ｂをコアネットワーク７を介して接続したものである。
【００４１】
図８に示すように、トラヒック情報提供システム１０１ｂは、トラヒック情報提供システム１０１ａと同様に、複数の移動端末２−ｋ、移動端末２−ｋと無線通信を行う無線基地局４−ｋ、無線基地局４−ｋを制御する基地局制御装置６−ｋ、トラヒック情報配信サーバ８ｂ、ＡＡＡサーバ９ｂ、呼制御サーバ１０ｂから構成されている。
【００４２】
基地局制御装置６−ｋとトラヒック情報配信サーバ８ｂ、ＡＡＡサーバ９ｂ、呼制御サーバ１０ｂは、コアネットワーク７と接続されている。その他の構成及び動作に関しては、実施の形態１と同様であり、相当部分には図１と同一符号を付して説明を省略する。
【００４３】
移動端末１−ｋ又は２−ｋがトラヒック情報提供システム１０１ａ及びトラヒック情報提供システム１０１ｂの両方の通信方式に対応し、登録されている場合には、図９のシーケンス図に示すように、移動端末１−ｋ又は２−ｋは、コアネットワーク７を介して、それぞれ両方のトラヒック情報配信サーバ８ａ、８ｂからトラヒック情報の通知を受け取ることができる（移動端末１−ｋはＳ９０５及びＳ９０７、移動端末２−ｋはＳ９０６及びＳ９０８）。
【００４４】
移動端末１−ｋ、２−ｋを使用するユーザは、移動端末１−ｋ、２−ｋでの自動切換え、または移動端末１−ｋ、２−ｋを使用しているユーザによる手動切替えにより、それぞれのトラヒック情報を表示させ、移動端末１−ｋ、２−ｋが存在する通信エリア、及びその周辺エリアのそれぞれのトラヒック状況を把握できる。
【００４５】
以上のように、本実施の形態２では、通信方式の異なる二つのトラヒック情報提供システム１０１ａ、１０１ｂをコアネットワーク７を介して接続するようにしたので、移動端末はそれぞれのトラヒック情報配信サーバからトラヒック情報の通知を受けることができる。
【００４６】
これにより、移動端末を使用するユーザは、移動端末が存在する通信エリア、及びその周辺エリアのそれぞれのトラヒック状況を把握することにより、通信条件の良い通信システムを選択して、高品質・高スループットで通信を利用できる。
【図面の簡単な説明】
【００４７】
【図１】本発明に係るトラヒック情報提供システムの実施の形態１の構成を示すブロック図である。
【図２】本発明に係るトラヒック情報提供システムの実施の形態１の無線基地局の構成を示すブロック図である。
【図３】本発明に係るトラヒック情報提供システムの実施の形態１の基地局制御装置の構成を示すブロック図である。
【図４】本発明に係るトラヒック情報提供システムの実施の形態１のトラヒック情報配信サーバの構成を示すブロック図である。
【図５】本発明に係るトラヒック情報提供システムの実施の形態１の移動端末の構成を示すブロック図である。
【図６】本発明に係るトラヒック情報提供システムの実施の形態１の動作の流れを示すシーケンス図である。
【図７】本発明に係るトラヒック情報提供システムの実施の形態１の動作の流れを示すシーケンス図である。
【図８】本発明に係るトラヒック情報提供システムの実施の形態２の構成を示すブロック図である。
【図９】本発明に係るトラヒック情報提供システムの実施の形態２の動作の流れを示すシーケンス図である。
【符号の説明】
【００４８】
１−ｋ、２−ｋ  移動端末
３−ｋ、４−ｋ  無線基地局
５−ｋ、６−ｋ  基地局制御装置
８ａ、８ｂ  トラヒック情報配信サーバ
１１−ｋ  位置情報取得部
１２−ｋ  地図データベース
１６−ｋ  表示部
１０１ａ、１０１ｂ、１０２  トラヒック情報提供システム
【図１】
2009055297.tif 000003
【図２】
2009055297.tif 000004
【図３】
2009055297.tif 000005
【図４】
2009055297.tif 000006
【図５】
2009055297.tif 000007
【図６】
2009055297.tif 000008
【図７】
2009055297.tif 000009
【図８】
2009055297.tif 000010
【図９】
2009055297.tif 000011